(57)【特許請求の範囲】
【請求項１】
照明ユニットの照光面側に配されるカバー材であって、
金型のキャビティ面にフィルムをセットした上で金型内に溶融樹脂を注入して固化させることにより、前記カバー材の意匠面に配置された前記フィルムの裏面と、透明樹脂で構成された成形樹脂層の表面とが一体に固着され、
前記フィルムの端部の位置が前記意匠面の端部の手前の位置に配置され、前記意匠面の端部と前記フィルムの端部との間に、前記成形樹脂層の露出部よりなるフィルム端部保護域が形成され、該フィルム端部保護域の表面と前記フィルムの表面とは面一に形成され、
前記意匠面の端部と前記成形樹脂層の端面との交わる角部が鋭角に設定され、前記成形樹脂層の端面が他の部材に当接し、
前記フィルムが黒色系フィルムよりなり、前記成形樹脂層の裏面から前記成形樹脂層の端面までの範囲が、前記黒色系フィルムと同色系の皮膜層で覆われていることを特徴とするカバー材。
【発明の詳細な説明】
【技術分野】
【０００１】
本発明は、例えば、車内に意匠面を向けて装備される車両用天井照明装置のレンズ付きカバー材として有用なフィルムインサート成形品に関するものである。
【背景技術】
【０００２】
従来より、樹脂成形品の加飾技術の一つとして、フィルムインサート成形という方法が知られている。フィルムインサート成形とは、金型のキャビティ面に予めフォーミングした意匠面構成用のフィルムをセットし、その上で金型内に溶融樹脂を注入して固化させることにより、フィルムと成形樹脂とが一体化された成形品を得る方法である。この方法で作製された成形品は、例えば、自動車の車内装備として広く使用されている。
【０００３】
図４は、その一例として挙げる、自動車の車室内天井部に装備される天井照明装置の下側から見た分解斜視図である。
同図において、符号２０で示すものは天井トリム２０であり、天井トリム２０の開口２１に、ランプユニット３０とレンズ付きカバー材１１０とからなる天井照明装置が取り付けられている。ランプユニット３０にはスイッチ３６とランプ３７が装備され、レンズ付きカバー材１１０には、スイッチ３６に対応する位置に操作用開口部１１６、ランプ３７に対応する位置にレンズ１１７が設けられている。この例では、レンズ付きカバー材１１０がフィルムインサート成形品で構成されており、その車室内側の面がフィルムの配置された意匠面１１０Ａとなっている。
【０００４】
この天井照明装置は、カバー材１１０とランプユニット３０とで天井トリム２０の開口２１の周縁部を挟むことで、天井トリム２０に取り付けられている。
【０００５】
図５は、従来のカバー材１１０の周縁部と天井トリム２０の開口２１の周縁部との関係を示す拡大断面図である。
カバー材１１０は、成形樹脂層１１２の表面にフィルム１１１が配置されたフィルムインサート成形品で構成されており、フィルム１１１の表面が、カバー材１１０の意匠面１１０Ａを構成している。
【０００６】
この図５に示す従来例のカバー材１１０の場合、フィルム１１１の端部１１１Ｅが成形樹脂層１１２の端部１１２Ｅの位置まで延びている。そのため、フィルム１１１の端部１１１Ｅが剥がれやすいという問題がある。
【０００７】
そこで、通常は、図６に示すように、フィルム１１１の端部１１１Ｅに、成形樹脂層１１２の端面１１２Ｄまでを覆うように外周曲げ部１１１Ｆを連設して、フィルム１１１の端部が剥がれないようにしている（例えば、特許文献１参照）。
【先行技術文献】
【特許文献】
【０００８】
【特許文献１】特開２００８−１６８６１３号公報
【発明の概要】
【発明が解決しようとする課題】
【０００９】
しかしながら、このように外周曲げ部１１１Ｆをフィルム１１１の端部１１１Ｅに追加して設けた場合、外周曲げ部１１１Ｆを確保するだけの寸法をカバー材１１０の端部の厚みとして設けておかなくてはならないので、天井トリム２０にカバー材１１０の周縁部を押し付けた際に、カバー材１１０の意匠面１１０Ａと天井トリム２０のとの間に段差Ｈができやすくなるという問題がある。
【００１０】
本発明は、上述した事情に鑑みてなされたものであり、その目的は、外周曲げ部のような段差を設けずに、フィルムの端部の剥がれを防止することのできるフィルムインサート成形品から成るカバー材を提供することにある。
【課題を解決するための手段】
【００１１】
前述した目的を達成するために、本発明に係るカバー材は、下記（１）を特徴としている。
（１）  照明ユニットの照光面側に配されるカバー材であって、
金型のキャビティ面にフィルムをセットした上で金型内に溶融樹脂を注入して固化させることにより、前記カバー材の意匠面に配置された前記フィルムの裏面と、透明樹脂で構成された成形樹脂層の表面とが一体に固着され、
前記フィルムの端部の位置が前記意匠面の端部の手前の位置に配置され、前記意匠面の端部と前記フィルムの端部との間に、前記成形樹脂層の露出部よりなるフィルム端部保護域が形成され、該フィルム端部保護域の表面と前記フィルムの表面とは面一に形成され、
前記意匠面の端部と前記成形樹脂層の端面との交わる角部が鋭角に設定され、前記成形樹脂層の端面が他の部材に当接し、
前記フィルムが黒色系フィルムよりなり、前記成形樹脂層の裏面から前記成形樹脂層の端面までの範囲が、前記黒色系フィルムと同色系の皮膜層で覆われていること。
【００１２】
上記（１）の構成のカバー材によれば、フィルムの端部の外側に、成形樹脂層の露出部よりなるフィルム端部保護域を確保し、フィルム端部保護域の表面とフィルムの表面とを面一に形成したので、フィルムの端部の剥がれを防止することができる。また、フィルムの端部に外周曲げ部を設けなくてよいので、成形樹脂層の端部の厚みをできるだけ小さくすることができる。従って、成形樹脂層の端部を他の部材に押し付けた際の意匠面と他の部材の表面との間の段差を目立たない程度に小さくすることができる。
また、意匠面の端部と成形樹脂層の端面との交わる角部を鋭角に設定したので、成形樹脂層の端面を他の部材に押し付けた際に、意匠面から他の部材の表面への変化を、段差のない角度の緩やかな変化とすることができ、できるだけ成形品の意匠面と他の部材の表面との境界を目立たなくすることができて、面一感を持たせることができる。
また、成形樹脂層が透明樹脂で構成され、フィルムが黒色系フィルムよりなり、成形樹脂層の裏面から成形樹脂層の端面までの範囲が、黒色系フィルムと同色系の皮膜層で覆われているので、意匠面を特別に加工しないでも、フィルム端部保護域として露出した部分の成形樹脂層を表面側から見た際に極力目立ち難くすることができる。
【発明の効果】
【００１３】
本発明によれば、フィルムの端部の剥がれを防止することができる。また、フィルムの端部に外周曲げ部を設けなくてよくなるので、成形樹脂層の端部の厚みをできるだけ小さくすることができ、それにより、成形樹脂層の端部を他の部材に押し付けた際の意匠面と他の部材の表面との間の段差を目立たない程度に小さくすることができる。また、透明樹脂から成る成形樹脂層の裏面から成形樹脂層の端面までの範囲が、黒色系の皮膜層で覆われているので、意匠面を特別に加工しないでも、フィルム端部保護域として露出した部分の成形樹脂層を表面側から見た際に極力目立ち難くすることができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施形態のフィルムインサート成形品として示す車両用天井照明装置のカバー部材の構成図で、（ａ）は裏面側から見た斜視図、（ｂ）は（ａ）のＢ−Ｂ矢視断面図である。
【図２】同カバー部材の表面側から見た斜視図およびその部分拡大図である。
【図３】同カバー部材の端部を天井トリムに押し付けた際の部分拡大断面図である。
【図４】従来の車両用天井照明装置の概略構成を示す分解斜視図である。
【図５】従来の車両用天井照明装置のカバー部材の端部を天井トリムに押し付けた際の部分拡大断面図である。
【図６】別の従来のカバー部材の端部を天井トリムに押し付けた際の部分拡大断面図である。
【発明を実施するための形態】
【００１６】
以下、本発明の実施形態を図面を参照して説明する。
図１は実施形態のフィルムインサート成形品として示す車両用天井照明装置のカバー部材の構成図で、（ａ）は裏面側から見た斜視図、（ｂ）は（ａ）のＢ−Ｂ矢視断面図、図２は同カバー材の表面側から見た斜視図およびその部分拡大図、図３は同カバー材の端部を天井トリムに押し付けた際の部分拡大断面図である。
【００１７】
図１（ａ）に示すカバー材１０は、図４に示したランプユニット３０と組み合わせることで、天井トリム２０に取り付けられる車両用天井照明装置（照明ユニット）を構成するものであり、車室内への照光面側に配される。このカバー材１０は、天井トリム２０を挟んでランプユニット３０と連結されることで、その周縁部が、天井トリム２０の開口２１の周縁部の車室内側の面に押し付けられるものである。
【００１８】
このカバー材１０は、フィルムインサート成形品によって構成されている。即ち、図１（ｂ）に示すように、金型のキャビティ面にフィルム１１をセットした上で金型内に溶融樹脂を注入して固化させることにより成形されており、フィルム１１の裏面１１Ｂと成形樹脂層１２の表面１２Ａとが一体に固着されると共に、成形品の意匠面１０Ａにフィルム１１が配置されている。
【００１９】
この場合、意匠面１０Ａに配されたフィルム１１はＰＥＴ製の黒色系の遮光フィルムよりなり、成形樹脂層１２は透明樹脂により構成されている。また、成形樹脂層１２の裏面１２Ｂには、黒色系塗装による遮光性皮膜層１３が設けられている。
【００２０】
また、図１（ｂ）及び図２に示すように、フィルム１１の端部１１Ｅの位置が、意匠面１０Ａの端部１０Ｅの手前の位置に配置されていることで、意匠面１０Ａの端部１０Ｅとフィルム１１の端部１１Ｅとの間に、成形樹脂層１２の露出部よりなるフィルム端部保護域１４が確保されている。そして、フィルム端部保護域１４の表面１４Ａとフィルム１１の表面１１Ａとが面一に形成されている。
【００２１】
また、意匠面１０Ａの端部１０Ｅと成形樹脂層１２の端面１２Ｃとの交わる角部１２Ｄが鋭角に設定されており、成形樹脂層１２の端面１２Ｃが天井トリム２０（他の部材）への当接面とされている。また、成形樹脂層１２の裏面１２Ｂから成形樹脂層１２の端面１２Ｃまでの範囲が、黒色系のフィルム１１と同系色塗装による遮光性皮膜層１３で覆われている。
【００２２】
以上の構成のカバー材１０（フィルムインサート成形品）によれば、フィルム１１の端部１１Ｅの外側に、成形樹脂層１２の露出部よりなるフィルム端部保護域１４を確保し、フィルム端部保護域１４の表面１４Ａとフィルム１１の表面１１Ａとを面一に形成しているので、フィルム１１の端部１１Ｅの剥がれを防止することができる。また、フィルム１１の端部１１Ｅに、剥がれ防止のために、図６に示した従来例のような外周曲げ部を設けなくてよいので、成形樹脂層１２の端部の厚みをできるだけ小さくすることができる。従って、図３に示すように、成形樹脂層１２の端部１２Ｅを天井トリム２０に押し付けた際の、意匠面１０Ａと天井トリム２０の表面との間の段差を目立たない程度に小さくすることができる。
【００２３】
特に、意匠面１０Ａの端部１０Ｅと成形樹脂層１２の端面１２Ｃとの交わる角部１２Ｄを鋭角に設定したので、成形樹脂層１２の端面１２Ｃを天井トリム２０に押し付けた際に、意匠面１０Ａから天井トリム２０の表面への変化を、段差のない角度の緩やかな変化とすることができ、できるだけカバー材１０の表面と天井トリム２０の表面との境界を目立たなくすることができて、面一感を持たせることができる。
【００２４】
また、成形樹脂層１２が透明樹脂で構成され、フィルム１１が黒色系フィルムよりなり、成形樹脂層１２の裏面１２Ｂから成形樹脂層１２の端面１２Ｃまでの範囲が、黒色系のフィルム１１と同色系の皮膜層１３で覆われているので、意匠面１０Ａを特別に加工しないでも、フィルム端部保護域１４として露出した部分の成形樹脂層１２を表面側（図２に示す方向）から見た際に極力目立ち難くすることができる。
【００２５】
また、フィルム１１と遮光性皮膜層１３は、ランプの照明光を透過させない性質を持つため、遮光性皮膜層１３の形成範囲とフィルム１１の形状の組み合わせにより、照明光の透過部を自由なデザインで作製することができる。
【００２６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。例えば、カバー材１０には、意匠面１０Ａの端部１０Ｅと成形樹脂層１２の端面１２Ｃとの交わる角部１２Ｄが鋭角である箇所と鈍角である箇所が混在する場合がある。この場合には、その鋭角である箇所には本発明を適用し、その鈍角である箇所には、図６を参照して説明した従来技術のように外周曲げ部１１１Ｆを連設するようにして、それぞれの技術を組み合わせるようにしてもよい。
【符号の説明】
【００２７】
１０  カバー材（フィルムインサート成形品）
１０Ａ  意匠面
１０Ｅ  意匠面の端部
１１  フィルム
１１Ａ  表面
１１Ｂ  裏面
１１Ｅ  端部
１２  成形樹脂層
１２Ａ  表面
１２Ｂ  裏面
１２Ｃ  端面
１２Ｄ  角部
１２Ｅ  端部
１３  遮光性皮膜層
１４  フィルム端部保護域
１４Ａ  表面
２０  天井トリム（他の部材）
【図１】
0005704744.tif 000002
【図２】
0005704744.tif 000003
【図３】
0005704744.tif 000004
【図４】
0005704744.tif 000005
【図５】
0005704744.tif 000006
【図６】
0005704744.tif 000007